(57)【要約】【課題】空気調和機において、吸込パネルの回動という簡単な動作により、運転停止時、運転時及び塵埃除去時のそれぞれに適した回動位置にできる。【解決手段】空気調和機１は、化粧パネル３の空気吸込口３０ａを覆うように設けられた左右に長い吸込パネル４と、フィルタ１１に捕集された塵埃を清掃する清掃装置５と、吸込パネル４を駆動するパネル駆動装置７とを備える。清掃装置５は、フィルタ１１の清掃を行う清掃部５１と、掃除部５１により清掃された塵埃を溜めるダストボックス５３とを備える。吸込パネル４は、パネル駆動装置７により支持されて空気吸込口３０ａを閉じる運転停止時の回動位置と、パネル駆動装置７により支持されて空気吸込口３０ａを開く運転時の回動位置と、パネル駆動装置７による支持を解除してダストボックス５３の塵埃取出口が真下に露出するように開く塵埃除去時の回動位置とを取り得るように設置されている。【選択図】図２
2011027316.tif 000002
【特許請求の範囲】
【請求項１】
左右に長く形成された空気吸込口及び空気吹出口を有する化粧パネルを筐体本体の下面に備えた筐体と、
前記筐体内に配置され、室内空気を前記空気吸込口より吸込み前記空気吹出口より吹出すファンと、
前記筐体内で前記ファンの空気吸込側に配置された熱交換器と、
前記筐体内で前記熱交換器の空気吸込側に配置されたフィルタと、
前記化粧パネルの空気吸込口に設けられた左右に長い吸込パネルと、
前記筐体内で前記フィルタに捕集された塵埃を清掃する清掃装置と、
前記筐体内で前記吸込パネルを駆動するパネル駆動装置と、を備えた空気調和機において、
前記清掃装置は、前記フィルタの清掃を行う清掃部と、前記掃除部により清掃された塵埃を溜めるダストボックスと、を備え、
前記吸込パネルは、一側に回転軸心を有して回動可能に支持され、前記パネル駆動装置により支持されて前記空気吸込口を閉じる運転停止時の回動位置と、前記パネル駆動装置により支持されて前記空気吸込口を開く運転時の回動位置と、前記パネル駆動装置による支持を解除して前記ダストボックスの下面の塵埃取出口が真下に露出するように開く塵埃除去時の回動位置と、を取り得るように設置されている
ことを特徴とする空気調和機。
【請求項２】
請求項１において、
前記吸込パネルは、前記空気吸込口を開閉する一枚の帯状の合成樹脂製パネル部材と、前記パネル部材に組み合わされる金属製補強板と、を備えている
ことを特徴とする空気調和機。
【請求項３】
請求項２において、
前記パネル部材は、前記空気吸込口を閉じる運転停止時の回動位置及び前記空気吸込口を開く運転時の回動位置で前記補強板に連結され、塵埃除去時の回動位置にする場合に前記補強板との連結が解除可能である
ことを特徴とする空気調和機。
【請求項４】
請求項３において、
前記パネル部材と前記補強板とは複数のラッチを介して連結されている
ことを特徴とする空気調和機。
【発明の詳細な説明】
【技術分野】
【０００１】
本発明は、空気調和機に係わり、特にフィルタに捕集された塵埃を清掃する清掃装置及び吸込パネルを駆動するパネル駆動装置を備えた天井埋込形空気調和機に好適なものである。
【背景技術】
【０００２】
清掃装置を備えた従来の天井埋込形空気調和機としては、特開２００７−２７１１７４号公報（特許文献１）に示されたものがある。
【０００３】
この特許文献１の空気調和機は、天井から懸架された筐体本体、吹出口を形成した化粧パネル及び同化粧パネルに装着され且つ吸込口を備えた吸込グリルからなる筐体と、吸込口の裏面に設けられたフィルタと、化粧パネルと筐体本体との間に設けられたフィルタ清掃手段と、吸込グリルと吹出口とを結ぶ空気流路に設けられたファン及び熱交換器と、を備えている。
【０００４】
前記フィルタ清掃手段は、前記フィルタに付着した塵埃を除去する清掃ブラシ、前記清掃ブラシの回動を規制するロック部材及び除去された塵埃を回収する回収ブラシを内蔵し、前記清掃ブラシにより除去された塵埃を回収するフィルタ清掃ユニットと、前記フィルタ清掃ユニットを前記フィルタ上で移動させる駆動手段と、を備えている。
【０００５】
前記フィルタ清掃ユニットの中央部には、開閉自在な塵埃回収窓が設けられ、この塵埃回収窓に掃除機の吸引ノズル等を差し入れることにより、内部に貯留された塵埃を吸引できるようになっている。
【０００６】
一方、パネル駆動装置を備えた従来の天井埋込形空気調和機としては、特開１０−１１０９６６号公報（特許文献２）の図１から図７に示されたものがある。
【０００７】
この特許文献２の天井埋込形空気調和機は、室内熱交換器および送風機などを収容するユニット本体と、このユニット本体の被空調室内と対向する下面部として構成され、被空調室内の空気を上記室内熱交換器に導く吸込み口が設けられるとともに、この吸込み口に対向して着脱自在なフィルタが取り付けられた化粧パネルと、開閉駆動機構とを具備して構成されている。
【０００８】
前記化粧パネルは、周端枠部と、この周端枠部に囲繞され吸込み口を構成するとともにフィルタが取り付けられるフィルタ取付部と、このフィルタ取付部に囲繞され開閉駆動機構を収納する中央パネル部とから構成されている。
【０００９】
前記開閉駆動機構は、化粧パネルのフィルタ取付部をユニット本体に対して回動自在に枢支する枢支部と、その一端部が化粧パネルのフィルタ取付部の自由端に接続されるワイヤと、ワイヤの他端部が接続されるベルト体と、このベルト体を無端走行自在に掛止するプーリと、このプーリを介してベルト体を往復駆動し、ワイヤを進退移動して化粧パネルのフィルタ取付部をユニット本体に対して開閉駆動する駆動モータとから構成されている。
【先行技術文献】
【特許文献】
【００１０】
【特許文献１】特開２００７−２７１１７４号公報
【特許文献２】特開１０-１１０９６６公報（図１から図７）
【発明の概要】
【発明が解決しようとする課題】
【００１１】
前記特許文献１の天井埋込形空気調和機では、吸込グリル自身の通風口を通して内部が見えることとなり意匠的に好ましくなく、運転停止時に室内空気が吸込グリル自身の通風口を通して筐体内に侵入して室内空気中の塵埃で内部を汚すおそれがある、等の課題があった。なお、この吸込グリルは、運転停止時、運転時及び塵埃除去時の何れにおいても同一状態で化粧パネルに装着されており、それぞれの時に対応して変化させる必要がなかった。
【００１２】
また、前記特許文献２の天井埋込形空気調和機でも、運転停止時に、通風口を構成するフィルタ取付部自身の通風口を通して内部が見え意匠的に好ましくなく、室内空気がフィルタ取付部自身の通風口を通して筐体内に侵入して内部を汚すおそれがある、等の課題があった。なお、このフィルタ取付部は、塵埃除去時にフィルタと共に開放可能になっているものの、運転停止時及び運転時においては同一状態で化粧パネルに装着されている。
【００１３】
本発明の目的は、吸込パネルの回動という簡単な動作により、運転停止時、運転時及び塵埃除去時のそれぞれに適した回動位置にできる空気調和機を提供することにある。
【課題を解決するための手段】
【００１４】
前述の目的を達成するために、本発明では、左右に長く形成された空気吸込口及び空気吹出口を有する化粧パネルを筐体本体の下面に備えた筐体と、前記筐体内に配置され、室内空気を前記空気吸込口より吸込み前記空気吹出口より吹出すファンと、前記筐体内で前記ファンの空気吸込側に配置された熱交換器と、前記筐体内で前記熱交換器の空気吸込側に配置されたフィルタと、前記化粧パネルの空気吸込口に設けられた左右に長い吸込パネルと、前記筐体内で前記フィルタに捕集された塵埃を清掃する清掃装置と、前記筐体内で前記吸込パネルを駆動するパネル駆動装置と、を備えた空気調和機において、前記清掃装置は、前記フィルタの清掃を行う清掃部と、前記掃除部により清掃された塵埃を溜めるダストボックスと、を備え、前記吸込パネルは、一側に回転軸心を有して回動可能に支持され、前記パネル駆動装置により支持されて前記空気吸込口を閉じる運転停止時の回動位置と、前記パネル駆動装置により支持されて前記空気吸込口を開く運転時の回動位置と、前記パネル駆動装置による支持を解除して前記ダストボックスの下面の塵埃取出口が真下に露出するように開く塵埃除去時の回動位置と、を取り得るように設置されている構成にしたことにある。
【００１５】
係る本発明のより好ましい具体的な構成例は次の通りである。
（１）前記吸込パネルは、前記空気吸込口を開閉する一枚の帯状の合成樹脂製パネル部材と、前記パネル部材に組み合わされる金属製補強板と、を備えていること。
（２）前記パネル部材は、前記空気吸込口を閉じる運転停止時の回動位置及び前記空気吸込口を開く運転時の回動位置で前記補強板に連結され、塵埃除去時の回動位置にする場合に前記補強板との連結が解除可能であること。
（３）前記パネル部材と前記補強板とは複数のラッチを介して連結されていること。
【発明の効果】
【００１６】
係る本発明の空気調和機によれば、吸込パネルの回動という簡単な動作により、運転停止時、運転時及び塵埃除去時のそれぞれに適した回動位置にできる。
【図面の簡単な説明】
【００１７】
【図１】本発明の一実施形態に係る空気調和機の斜視図である。
【図２】図１の空気調和機の縦断面図である。
【図３】図２のパネル駆動装置の分解斜視図である。
【図４】図２の空気調和機の吸込み部を拡大して表す斜視図である。
【図５】図２の空気調和機の吸込み部を図４と異なる位置で拡大して表す斜視図である。
【図６】図４のパネル昇降アームの斜視図である。
【図７】図２の清掃装置の塵埃除去時に吸込パネルを開放する方法を説明する図である。
【図８】図２の清掃装置の塵埃を掃除機を用いて吸い取る方法を説明する図である。
【図９】図２の清掃装置の塵埃を掃除機を用いて吸い取る方法を説明する拡大斜視図である。
【図１０】図１の化粧パネルを下方から見た斜視図である。
【図１１】図１０の化粧パネルの受光部の拡大斜視図である。
【発明を実施するための形態】
【００１８】
以下、本発明の空気調和機の一実施形態を、添付図面を参照しながら説明する。
【００１９】
まず、本実施形態の空気調和機１の全体構成に関して、図１及び図２を参照しながら説明する。図１は空気調和機１の設置状態を示す斜視図、図２は図１の空気調和機１の縦断面図である。ここで、図１及び図２は吸込パネル４及び吹出パネル２２が開いた運転状態を示す。なお、本実施形態の空気調和機１は天井埋込形空気調和機である。
【００２０】
空気調和機１は、筐体３０、ファン８、ファンモータ１０、熱交換器９、フィルタ１１、清掃装置５、パネル駆動装置７等を備えて構成されている。
【００２１】
筐体３０は、天井面３１内に埋め込まれる筐体本体２と、この筐体本体２の下面開口を覆う化粧パネル３とから構成されている。この筐体３０は、吊ボルト３２を介して、天井内の上壁面に吊り下げられる。筐体本体２は、横幅寸法（左右方向の寸法）より奥行寸法（前後方向の寸法）が小さく、奥行寸法より高さ寸法が小さい直方体の外観形状をしている。天上面３１には筐体本体２の下面に合致する位置に四角の穴が形成される。室内天井面から天井内上面の荒床面までの寸法が短い住宅では、特に筐体３０の高さ寸法が小さいことが強く望まれており、本実施形態では後述する構成をすることにより、それに対応できる構成となっている。なお、本実施形態の空気調和機１における前後左右は、標準的な設置例を基準として空気吹出口を前側としたものである。
【００２２】
化粧パネル３は、筐体本体２の下面開口と天上面３１の穴の縁部とを覆って天井面３１より下方に露出するように配置される。この化粧パネル３は、平面から見て筐体本体２より大きな長方形状をしており、筐体本体２に取り付けられている。筐体３０の下面を構成する化粧パネル３には、空気吸込口３０ａ及び空気吹出口３０ｂが設けられている。空気吸込口３０ａは化粧パネル３の後側部分に左右に長く設けられ、空気吹出口３０ｂは化粧パネル３の前側部分に左右に長く設けられている。
【００２３】
ファン８は、室内空気を空気吸込口３０ａより吸込み、熱交換器９を通してから、空気吹出口３０ｂより吹出すように、筐体本体２内に配置されている。このファン８は左右方向に長い貫流ファンで構成されている。ファン８を駆動するファンモータ１０は、ファン８の左右方向の一側に並置され、ファン８及びファンモータ１０の回転軸同士が連結されている。図２ではファンモータ１０をファン８と共に示して両者の位置関係を表すようにしていあるが、実際には、ファンモータ１０が配置される空間はファン８の通風路と仕切り板により仕切られている。
【００２４】
化粧パネル３には、空気吸込口３０ａを開閉する吸込パネル４と、空気吹出口３０ｂを開閉する吹出パネル２２とが備えられている。吸込パネル４及び吹出パネル２２は、空気調和機１の運転時に空気吸込口３０ａを開き、運転停止時に空気吸込口３０ａを閉じるようにパネル駆動装置７により駆動される。このパネル駆動装置７の駆動動作は制御装置（図示せず）により制御される。係る構成によって、空調運転時に所定の通風ができると共に、運転停止時に室内空気が筐体内に侵入して室内空気中の塵埃で内部を汚すことを防止できる。吸込パネル４自身に通風口を有しないため、意匠的に良好である。
【００２５】
吸込パネル４は、前側が回転可能に軸支され、後側がパネル昇降アーム７１の下端に支持され、パネル昇降アーム７１の上下動によって回動される。この吸込パネル４の回動動作により、空気吸込口３０ａが開閉される。パネル昇降アーム７１は、パネル駆動装置７のアームパネル駆動装置７２（図４参照）により上下動される。
【００２６】
また、吸込パネル４は、パネル駆動装置７により支持されて空気吸込口３０ａを開く運転時の状態と、パネル駆動装置７による支持が解除されてダストボックス５３の下面の塵埃取出口５３ａ（図８参照）が真下に露出するように開く塵埃除去時の状態と、を取り得るように設置されている。
【００２７】
さらには、吸込パネル４は、空気吸込口３０ａを開閉する一枚の帯状の合成樹脂製パネル部材４１と、このパネル部材４１に組み合わされる金属製補強板４２とを主要構成要素として構成されている。補強板４２を用いることにより吸込パネル４の強度を向上することができる。アーム７でこの補強板４２を支持し、補強板４２を介してパネル部材４１を回動させることにより、吸込パネル４の信頼性を維持することができる。
【００２８】
吹出パネル２２は、後側が回転可能に軸支され、吹出パネル駆動モータにより回動される。この吹出パネル２２は風向を上下させる吹出風向板を兼ねており、吹出パネル２２の開閉角度の調整により、室内に送り出される風向を調整できる。吹出パネル２２は、制御装置で吹出パネル駆動モータを制御することにより、冷房時に空気吹出口３０ｂから主に前方に風を吹出し、暖房時に主に下方に風を吹出すように駆動される。
【００２９】
吸込パネル４及び吹出パネル２２は、化粧パネル３の中央部分の下面から連続する下面を有して設置されている。換言すれば、化粧パネル３の中央部分より前方の部分及び後方の部分の下面は、中央部分の下面より段部を介して上方に位置しており、吸込パネル４及び吹出パネル２２はその段部で形成された空間に設置されている。係る構成によって、空気調和機の下面の外観意匠を良好なものとすることができる。
【００３０】
また、吸込パネル４及び吹出パネル２２の左右方向の寸法は、互いに同一であり、且つ化粧パネル３の左右方向の寸法と同じに設定してある。換言すれば、吸込パネル４及び吹出パネル２２は、空気吸込口３０ａ及び空気吹出口３０ｂよりも左右方向に突出して化粧パネル３の両側端部まで延びている。この点からも、空気調和機の下面の外観意匠を良好なものとすることができる。
【００３１】
熱交換器９は、筐体３０内で、ファン８の空気吸込側の通風路に配置されている。この熱交換器９は、ファン８の背面側に設けられた背面熱交換器部９ａと、ファン８の下面側に設けられた下面熱交換器部９ｂとから構成されている。背面熱交換器部９ａは、その下部が前側（ファン側）に、その上部が後側（反ファン側）に位置するように傾斜して設置されている。下面熱交換器部９ｂは、その前側が若干低くなるように傾斜して設置されている。
【００３２】
背面熱交換器部９ａと下面熱交換機部９ｂとで取り付け角度を変えて取り付けることで、熱交換器９としての伝熱面積が大きく取れ、性能を向上させることができる。ここで、傾斜の小さな下面熱交換器９ｂのプレートフィンのスリットを無くすことで、冷房運転時の結露水の流れを良くし、スリットの部分に結露水が溜まることや、その結露水が大きな通風抵抗となって風量の低下や騒音の増大といった問題を起こすことを抑制できる。
【００３３】
下面熱交換器９ｂの風速分布が小さく、背面熱交換器部９ａの風速分布が大きくなることに対応して、背面熱交換器部９ａ及び下面熱交換機部９ｂの伝熱面積を設定することで、風量と伝熱面積のバランスを最適なものにすることができ、性能の向上や、騒音低減に効果的である。
【００３４】
背面熱交換器部９ａの下端部から下面熱交換器部９ｂが連続的に前方下方にファン８を取り囲むように延びている。係る構成によって、高さ寸法を増大することなく、熱交換器９の通風面積を増大することができ、低騒音で熱交換性能を向上することができ、天井埋込形空気調和機に適したものとなっている。また、熱交換器９の背面側には、側面から見て略三角形状の空間が形成されることとなる。
【００３５】
熱交換器９は冷凍サイクルの一部を構成するものである。冷凍サイクルは、圧縮機、四方弁、室外熱交換器、減圧装置、熱交換器９、四方弁、圧縮機の順に冷媒を循環させるように構成されている。熱交換器９（背面熱交換器部９ａ及び下面熱交換器部９ｂ）は、左右方向に並置された多数のプレートフィンと、これらのプレートフィンを貫通する蛇行状の冷媒管とから構成されている。熱交換器９の通風部の横幅とファン８の横幅とは、ほぼ同一となっている。
【００３６】
フィルタ１１は、熱交換器９に流入する室内空気の塵埃を捕集するものであり、枠部と網目部とから構成されている。このフィルタ１１は、筐体３０内で熱交換器９の空気吸込側の通風路に配置され、清掃中に移動されることなく静止された状態で設置されている。
【００３７】
このフィルタ１１は、熱交換器部９の背面後方の略三角形状の空間に設置されており、背面熱交換器部９ａの傾斜面に沿って傾斜している。具体的には、フィルタ１１は空気吸込口３０ａの上方で且つ背面熱交換器部９ａの後方の空間内に傾斜して収納されている。係る構成によって、空気調和機１の高さ寸法を増大することなく、フィルタ１１の通風面積を増大することができ、低騒音で集塵性能を向上することができ、天井埋込形空気調和機に適したものとなっている。
【００３８】
清掃装置５は、筐体３０内に配置され、フィルタ１１に捕集された塵埃を清掃して回収するものであり、フィルタ１１の吸込み側に捕集された塵埃を当該フィルタ１１の背面側で清掃して回収する。係る構成によって、空気調和機１の高さ寸法を増大することなく、傾斜したフィルタ１１の背面側空間を利用して塵埃の清掃、回収を行うことができ、天井埋込形空気調和機に適したものとなっている。
【００３９】
この清掃装置５は、フィルタ１１に沿って移動して当該フィルタ１１の清掃を行う清掃部５１と、この清掃部５１を駆動する清掃駆動部５２とをユニット化して備えている。清掃部５１にはダストボックス５３を備えている。ダストボックス５３は、清掃部５１によりフィルタ１１から清掃された塵埃を一時的に集めておくものである。係る構成によって、フィルタ１１を静止した状態で当該フィルタ１１に捕集された塵埃を清掃しつつ回収でき、効率よく塵埃の清掃、回収を行うことができる。
【００４０】
パネル駆動装置７は、筐体３０内に配置されて吸込パネル４を駆動するものであり、運転時に吸込パネル４を開き、運転停止時に吸込パネル４を閉じるようにを制御装置により制御される。
【００４１】
このパネル駆動装置７は、図２に示すように、ファン８、熱交換器９及びフィルタ１１に対して水平方向の前側に位置して設置されている。吸込パネル４は、図２に示すように、筐体本体２内部の吸込パネル４の回転軸から最も遠い位置に配置されたパネル駆動装置７によって開閉される。このことで、吸込パネル４の開閉に必要なモータトルクを最小限に抑えることができる。
【００４２】
パネル駆動装置７は、吸込パネル４の左右方向に設置された複数のパネル駆動装置で構成されており、本実施形態では、吸込パネル４の両側の上方に設置された左パネル駆動装置及び右パネル駆動装置で構成されている。パネル駆動装置７が吸込口側の空きスペースに縦方向に設置されることにより、通風を邪魔することなく筐体本体２の中にパネル駆動装置７を収めることができ、筐体本体２の高さ寸法が高くなるといった問題も起きない。
【００４３】
空気調和機１が運転されると、圧縮機が駆動されて冷凍サイクルが動作し、パネル駆動装置７が駆動されて吸込パネル４が回動して空気吸込口３０ａを開き、吹出パネル駆動モータが駆動されて吹出パネル２２が回動して空気吹出口３０ｂを開き、ファンモータ１０が駆動されてファン８が回転する。これらの動作は制御装置により制御される。
【００４４】
このファン８の回転によって、室内空気は、空気吸込口３０ａを通して筐体３０内に吸込まれ、フィルタ１１を通過する。この際に室内空気に含まれる塵埃はフィルタ１１に捕集される。フィルタ１１を通過した室内空気は、熱交換器９により加熱、冷却、除湿等の空気調和が行われ、ファン８を通って、空気吹出口３０ｂ吹出口から再び室内空間に吹出される。
【００４５】
次に、図３から図６を参照しながら、パネル駆動装置７の構成及びその動作を具体的に説明する。図３は図２のパネル駆動装置の分解斜視図、図４は図２の空気調和機の吸込み部を拡大して表す斜視図、図５は図２の空気調和機の吸込み部を図４と異なる位置で拡大して表す斜視図、図６は図４のパネル昇降アームの斜視図である。
【００４６】
パネル駆動装置７は、吸込パネル４の後側を支持するパネル昇降アーム７１と、このパネル昇降アーム７１を上下動することにより吸込パネル４の後側を回動させるアーム昇降機構７２と、を備えて縦長に構成されている。パネル昇降アーム７１とアーム昇降機構７２とは吸込パネル４を閉じた状態で水平方向に隣接して配置される。これによって、パネル駆動装置７がコンパクトとなり、収納性が良好なものとなっている。
【００４７】
パネル駆動装置７は、吸込パネル４の回動軸心より離れた吸込パネル４の外側端部近傍に配置されてパネル昇降アーム７１を垂直方向に上下動させる。これによって、昇降機構モータ７２ａのトルクを小さいものとすることができる。
【００４８】
パネル昇降アーム７１は、上下に２つに分割されたアームで構成され、上アームである第１アーム７１ａと下アームである第２アーム７１ｂとからなっている。第１アーム７１ａと第２アーム７１ｂとは連結長さが手動で可変できる連結手段を介して連結されている。この連結手段は、本実施形態では、第１アーム７１ａの下端面から突出して設けられた雄ねじ部７１ｃと、第２アーム７１ｂの上端面から凹んで設けられた雌ねじ部（図示せず）とで構成されている。
【００４９】
係る連結手段を備えることによって、吸込パネル４で空気吸込口３０ａを閉じた際に、左右の何れかに隙間を生じた場合には、連結手段でパネル昇降アーム７１の高さ寸法を調整して隙間をなくすことができる。即ち、化粧パネル３を筐体本体２に取り付ける場合、天井面３１が歪んだり、微小に傾いたりしていると、化粧パネル３がその影響を受け、吸込パネル４が閉じた時に化粧パネル３との隙間が均一にならない場合が生じる。このような時に、第１アーム７１ａを回転させてアーム７１の全長の微調整をすることにより、化粧パネル３と吸込パネル４の隙間寸法を均等に抑えることができる。
【００５０】
アーム昇降機構７２は、垂直に回転軸７２ａ１を有する昇降機構モータ７２ａと、この昇降機構モータ７２ａの回転軸７２ａ１の回転に伴って垂直の軸心で回転される昇降機構ウォームギア７２ｂと、この昇降機構ウォームギア７２ｂと噛み合う昇降機構ラックギア７２ｄを有する昇降機構本体７２ｃと、角型軸７２ｆと、連結具７２ｇと、ウォームガイド７２ｈと、を備えている。
【００５１】
昇降機構モータ７２ａはボルト７２ｅにより昇降機構本体７２ｃの上に固定して配置され、その回転軸７２ａ１は下方に突出されている。昇降機構本体７２ｃは筐体本体２に固定されている。
【００５２】
昇降機構ウォームギア７２ｂは、角型軸７２ｆ及び連結具７２ｇを介して回転軸７２ａ１に連携されている。角型軸７２ｆは、連結具７２ｇを介して回転軸７２ａ１に固定され、回転軸７２ａ１の回転に伴って回転される。角型軸７２ｆと回転軸７２ａ１とは同一軸心で連結されている。角型軸７２ｆは、昇降機構ラックギア７２ｄと平行に延びるように設置されている。
【００５３】
昇降機構ウォームギア７２ｂの中心部には、角型軸７２ｆの外形より若干大きな角型穴７２ｂ１を有しており、この角型穴７２ｂ１に角型軸７２ｆが遊嵌されている。これによって、昇降機構ウォームギア７２ｂは当該角型軸７２ｆに案内されて上下動される。
【００５４】
昇降機構ウォームギア７２ｂが昇降機構ラックギア７２ｄと噛み合って上下動することにより、昇降機構ウォームギア７２ｂ側の荷重は、昇降機構ラックギア７２ｄで支持され、換言すれば、筐体本体２で支持される。これによって、昇降機構モータ７２ａの負荷を低減することができるので、そのモータトルクを小さくできる。
【００５５】
昇降機構ウォームギア７２ｂはウォームガイド７２ｈに回動可能に装着されている。第１アーム７１ａは、このウォームガイド７２ｈに連結ねじ７１ｄを介して回動可能に連結されている。
【００５６】
第２アーム７１ｂの下端部は吸込パネル４の回転軸心と平行な回転軸心を有して吸込パネル４の補強板４２に回動可能に取り付けられ、第１アーム７１ａの上端部は吸込パネル４の回転軸心と平行な回転軸心を有してウォームギアガイド７２ｈを介して昇降機構ウォームギア７２ｂに回動可能に取り付けられている。係る構成によって、昇降機構ウォームギア７２ｂの上下動を吸込パネル４の回動運動に変換することができる。
【００５７】
補強板４２は、金属平板からプレス加工され、枠部と穴とを有するフレーム部材で構成され、パネル部材４１の長手方向に沿って長く延びている。
【００５８】
吸込パネル４は、空気調和機１が運転する場合や、筐体本体２の内部のメンテナンスを行う場合に開くことができる。
【００５９】
空気調和機１が運転指令を受けると、制御装置は昇降機構モータ７２ａを回転させて吸込パネル４を開く。即ち、昇降機構モータ７２ａが回転されることにより、角型軸７２ｆ及び昇降機構ウォームギア７２ｂが回転され、昇降機構ウォームギア７２ｂが昇降機構ラックギア７２ｄとの噛み合いで下方向に動くことで、補強板４２に連結されているパネル部材４１が開く。
【００６０】
吸込パネル４の開く角度及び開閉スピードは、昇降機構モータ７２ａの回転する時間及び回転スピードによって決定され、それらは制御装置からの指令データを変更することで、容易に変更が可能である。
【００６１】
昇降機構モータ７２ａのトルクは、吸込パネル４を動かしている時に必要となるが、停止時には、昇降機構ウォームギア７２ｂと昇降機構ラックギア７２ｄの噛み合わせにより保持されるため、昇降機構モータ７２ａに保持力は殆んど必要がなく、吸込パネル４を停止した状態で保持できる。これは、昇降機構モータ７２ａが垂直軸心の水平方向で回転するのに対し、昇降機構ウォームギア７２ｂが垂直方向で移動するためである。
【００６２】
吸込パネル４の開度、換言すれば昇降機構ウォームギア７２ｂの下停止位置は、昇降機構モータ７２ａの送りパルス数で決定される。この送りパルス数は制御装置により制御される。これによって、吸込パネル４の開度を容易に決定することができる。
【００６３】
また、吸込パネル４が閉じる時は、昇降機構モータ７２ａを開時の逆方向に回転させて、昇降機構ウォームギア７２ｂを上方向に動かすことで、吸込パネル４を閉じることができる。
【００６４】
この吸込パネル４が閉じた際に吸込パネル４と化粧パネル３との間に大きな隙間ができると、意匠上の問題が発生するため、図４に示すように、化粧パネル３側にリミットスイッチ１４を備えている。吸込パネル４が閉じる際にリミットスイッチ１４を押すと、昇降機構モータ７２ａの回転が停止し、吸込パネル４が停止する。これによって、吸込パネル４が化粧パネル３に対して一定の隙間で停止する。このリミットスイッチ１４の使用によって、化粧パネル３の隙間を最小限に抑えることができ、昇降機構モータ７２ａによる増し締動作を行わなくて済む。これによって、昇降機構モータ７２ａによる増し締め時に発生する振動音やびれ音などを抑制できる。なお、昇降機構モータ７２ａによる増し締動作とは、吸込パネル４が化粧パネル３に大きな隙間を生じないように、昇降機構モータ７２ａに送りパルスを余分に加えることであり、多くの場合に吸込パネル４が化粧パネル３に衝突して、吸込パネル４から昇降機構モータ７２ａの間に大きな負荷が加わる。
【００６５】
次に、図７から図９を参照しながら、清掃装置５のダストボックス５３からの塵埃の除去について説明する。図７は図２の清掃装置の塵埃除去時に吸込パネルを開放する方法を説明する図、図８は図２の清掃装置の塵埃を掃除機を用いて吸い取る方法を説明する図、図９は図２の清掃装置の塵埃を掃除機を用いて吸い取る方法を説明する拡大斜視図である。
【００６６】
アーム７１は補強板４２に取り付けられており、補強板４２とパネル部材４１とは左右方向に複数設けられたラッチ１７で連結されている。複数のラッチ１７にて吸込パネル４を支えることで、パネル部材４１の重量を分散して補強板４２で支持することができる。ラッチ１７は、補強板４２に設けられた雌部と、パネル部材４１に設けられた雄部とを備えて構成されている。パネル部材４１を補強板４２側に押すことにより、ラッチ１７の雌部と雄部の連結は解除される。また、解除されたパネル部材４１を補強板４２側に押すことにより、ラッチ１７の雌部と雄部とが連結される。
【００６７】
補強板４２はパネル部材４１の吸込パネル開閉軸４ａと同一軸心の回転軸を持ち、アーム７１の動きに合わせて、パネル部材４１と一緒に開閉動作を行う。
【００６８】
フラット形のパネル部材４１はパネル自体の重量が重く、成型時のそりや据付状況により、うねりなどの問題が発生しやすく、パネル部材４１を補強板４２に複数箇所固定することで、パネル部材４１のそりを最小限に抑えることができる。
【００６９】
ダストボックス５３内の塵埃を除去する際には、一般の電気掃除機に装着可能な専用のアダプター１８を使用することが望ましい。アダプター１８は当接部１８ａと吸い取り口部１８ｂとを有している。アダプター１８は、当接部１８ａをパネル部材４１の下面に当接し、パネル部材４１を押してラッチ１７を解除するために使用される。また、アダプター１８は、当接部１８ａを渡り補強板２０に当接し、吸い取り口部１８ｂをダストボックス５３の塵埃取出口５３ａ内に挿入し、さらにはダンパー５３ｂを押してダストボックス５３内まで侵入させ、ダストボックス５３内の塵埃を吸い取るために使用される。このようにアダプター１８を使用することによって、極めて簡単にダストボックス５３内の塵埃を吸い取ることができる。
【００７０】
具体的にダストボックス５３内の塵埃の除去方法を説明すると、まず、アダプター１８を掃除機の柄１９の先に取り付けた後、パネル部材４１を開けるため、アダプター１８で吸込パネル４のラッチ１７部を図７に示すように押して、すべてのラッチ１７を開放させる。ラッチ１７が全て開放されると、パネル部材４１は、補強板４２との結合が解かれ、パネル部材４１自身の荷重により吸込パネル開閉軸４ａを中心として回動されて全開まで開かれる。これによって、ダストボックス５３の下面に設けられた塵埃取出口５３ａが真下に露出される。補強板４２はアーム７２に支持されているため、化粧パネル３の空気吸込口３０ａ側に残るが、補強板４２の穴の部分を通して塵埃取出口５３ａが真下に露出されることとなる。
【００７１】
なお、パネル部材４１と補強板４２とを分離して回動させる理由は次の通りである。動作アーム７１で吸込パネル４を駆動する場合、吸込パネル４の開放角度は、アーム７１の長さと吸込パネル開閉軸４ａからアーム７１の支持点までの距離とで決定される。吸込パネル開閉軸４ａからアーム７１の支持点までの距離を大きくしてモータトルクを小さくしつつ吸込パネル４の開放角度を大きくしようとすると、アーム７１の長さを長くする必要がある。この場合、筐体３０の高さ寸法を大きくしてアーム７１を筐体３０内に収納しなければならないという不都合が生ずる。また、アーム７１の長さを短くして筐体３０の高さ寸法を小さくしつつ、吸込パネル４の開放角度を大きくしようとすると、吸込パネル開閉軸４ａからアーム７１の支持点までの距離を小さくする必要がある。この場合、モータトルクを大きくしなければならないという不都合を生ずる。本実施形態では、上述したパネル部材４１と補強板４２とを分離して回動させる構成としたことにより、係る不都合を解消することができる。
【００７２】
次に、アダプター１８の向きを９０度回転させて、化粧パネル３の吸込み部にある渡り補強板２０にアダプター１８の一方を引っかける。この時、ダストボックス５３のダンパー５３ｂ部はアダプター１８の塵埃取出口５３ａの位置まで移動し、アダプター１８の片方を渡り補強板２０に引っかけて、もう一方をダストボックス５３のダンパー５３ｂ部に先端を挿入した状態で、掃除機により、ダストボックス５３内の塵埃を吸い出す。
【００７３】
アダプター１８の片側を渡り補強板に引っかけるのは、アダプター１８の付いた掃除機の柄１９でダストボックス５３を押す時、必要以上の力がダストボックス５３にかかり、ダストボックス５３が破損するのを防ぐためである。
【００７４】
塵埃の吸い取りが終了したら、アダプター１８をダストボックス５３から抜き取り、アダプター１８を９０度回転させて、吸込パネル４のラッチ１７部を押して、全てのラッチ１７をロックさせることで、吸込パネル４が閉じる。
【００７５】
このように、アダプター１７を掃除機の柄１９につけて作業することで、高台にのって作業をするような危険が無く、安全に作業することができる。仮に、吸込パネル４が全閉の時、故障が発生した時のサービス方法についても、吸込パネル４のラッチ１７部すべて開放して、吸込パネル４を全開にしてから、アーム７１のジョイント部から、第１アーム７１ａ、第２アーム７１ｂを分離し、補強板４２ごと全開にしてメンテナンス作業を行うことができる。
【００７６】
次に、図１０及び図１１を参照しながら、吹出パネル２２に関して説明する。図１０は図１の化粧パネルを下方から見た斜視図、図１１は図１０の化粧パネルの受光部の拡大斜視図である。
【００７７】
化粧パネル３の吹出部には、風を部屋の隅々まで行き渡らせるための、吹出パネル２２と、吹出パネル２２とファン８との間に縦羽根２１と、が設置されている。吹出パネル２２は遠近方向の吹き分けを行うものであり、縦羽根２１は左右方向の吹き分けを行うものである。
【００７８】
吹出パネル２２は、風を横羽根となるパネルに沿って導く役割を持つため、大きな面積を持つことが理想である。吹出パネル２２は、短手、長手方向共に、化粧パネル３の端部２３まで大きくとることで、風を羽根に沿って、遠方、近方に効率良く送ることが可能となる。
【００７９】
吹き出す風は、吹出パネル２２により、方向を変えて吹き出すことになるが、羽根幅が小さいと風の乱れや巻き込みが発生して、思うように遠方に風が流れない。吹出パネル２２をパネル端部２３位置まで大きくとることで、風の巻き込みを押さえ、スムーズに遠方まで風を送ることが可能となる。
【００８０】
吹出パネル２２は幅方向のみでなく、長手方向に大きくすることで、左右方向への風の吹き分けをスムーズに行う効果があり、吹出パネル２２の長手方向も化粧パネル３の端部２３までの長さとすることで、左右方向への風の流れをスムーズにすることができる。
【００８１】
また、左右に吹き分ける場合に起こる空気吹出口３０ｂの角部での風の乱れ、巻き込みを無くすため、空気吹出口３０ｂの角部に、斜めに風を導く傾斜面２４を設け、風の乱れ、巻き込みの無い、スムーズな風の流れを実現している。
【００８２】
吹出パネル２２を大きくすると、風の流れはスムーズに吹き分けられるが、吹出パネル２２によって、受光部２６が隠れる面積が大きくなるため、吹出パネル２２が閉じている停止時や、冷房運転で吹出パネルが下向きの状態でも受光が可能な様に、受光部２６を吹出パネル２２の長手方向の中に配置する構造としている。
【００８３】
この時、受光部２６の受信の妨げとなる部分の吹出パネル２２に、コの字型の切り欠き２５を設けることで、停止時、吹出パネル２２が完全に受光部２６を隠してしまう場合や、運転中の吹出パネル２２の位置が受光部を隠してしまう位置でも、コの字形の切り欠き２５を通して、受光可能としている。
【００８４】
受光素子２７は意匠上、直接見えない構造とする必要があり、吹出パネル２２と、化粧パネル３の計２箇所に受光カバー２８を設けることで、直接受光素子２７が見えない構造としている。
【００８５】
吹出パネル２２に受光カバー２８を付ける場合、吹出パネル２２に島状に角穴に開けて樹脂の流れを良くする構造とするのが一般的であるが、こうすると吹出パネル２２の樹脂部でリモコンからの受光がさえぎられる部分ができてしまうため、横羽根となる吹出パネル２２はコの字状に端部まで切り欠いた切り欠き２５としている。
【符号の説明】
【００８６】
１…空気調和機、２…筐体本体、３…化粧パネル、４…吸込パネル、４ａ…吸込パネル開閉軸、５…清掃装置、７…パネル駆動装置、８…ファン、９…熱交換器、９ａ…背面熱交換器部、９ｂ…下面熱交換器部、１０…ファンモータ、１１…フィルタ、１２ａ…昇降機構本体、１２ｂ…駆動モータ、１２ｃ…軸、１２ｄ…ウォームギア、１２ｅ…ウォームガイド、１２ｆ…固定ねじ、７１ａ…第１アーム、７１ｂ…第２アーム、１３…アーム組品、１４…リミットスイッチ、１６…補強板、１７…ラッチ、１８…アダプター、１８ａ…当接部、１８ｂ…吸い取り口部、１９…掃除機の柄、２０…渡り補強板、２１…縦羽根、２２…吹出パネル、２３…パネル端部、２４…傾斜面、２５…コの字形の切り欠き、２６…受光部、２７…受光素子、２８…受光カバー、３０…筐体、４１…パネル部材、４２…補強板、５１…清掃部、５２…清掃駆動部、５３…ダストボックス、５３ａ…塵埃取出口、５３ｂ…ダンパー、７１…パネル昇降アーム、７１ａ…第１アーム（上アーム）、７１ｂ…第２アーム（下アーム）、７１ｃ…雄ねじ部、７１ｄ…連結ねじ、７２…アーム昇降機構、７２ａ…昇降機構モータ、７２ａ１…回転軸、７２ｂ…昇降機構ウォームギア、７２ｃ…昇降機構本体、７２ｄ…昇降機構ラックギア、７２ｆ…角型軸、７２ｇ…連結具、７２ｈ…ウォームガイド。
【図１】
2011027316.tif 000003
【図２】
2011027316.tif 000004
【図３】
2011027316.tif 000005
【図４】
2011027316.tif 000006
【図５】
2011027316.tif 000007
【図６】
2011027316.tif 000008
【図７】
2011027316.tif 000009
【図８】
2011027316.tif 000010
【図９】
2011027316.tif 000011
【図１０】
2011027316.tif 000012
【図１１】
2011027316.tif 000013